(57)【要約】
【課題】　本体と充電台とのセットが非常に簡単で、便利に使用できる充電式補聴器を提供する。
【解決手段】　１つの充電台及び１つの補聴器本体３０を含む。充電器本体１０は携帯し易く、充電器の中に電池を入れてセットする。充電の方法は乾電池により電源を供給する。セットしたあとに蓋を正しく閉めれば、自動的に充電スイッチを切り替え、その微量電圧で速く充電することが可能である。
【選択図】　　図１
0003100396.tif 000002
【実用新案登録請求の範囲】
【請求項１】
　充電台１つ及び補聴器本体１つを備え、充電器本体は携帯し易く、充電器の中には電池が入れてセットされ、充電の方法は乾電池により電力が供給され、セットしたあとに蓋を正しく閉めれば、自動的に充電スイッチが切り替えられ、その微量電圧で速く充電することが可能であることを特徴とする充電式補聴器。
【請求項２】
　補聴器本体の充電電路は、マイク一つ、複数の抵抗、複数の電解コンデンサ、複数の電晶体及びスピーカー１つを有し、その複数の電解コンデンサは電源の充放電電解コンデンサを含み、複数の抵抗の中にはマイクの音量を調整する可変抵抗を含み、その声は複数電晶体で作られた放大電路により拡大してから、スピーカーを経て出力されることを特徴とする請求項１記載の充電式補聴器。
【請求項３】
　充電器本体に、指示ライトが設けられていることを特徴とする請求項１記載の充電式補聴器。
【請求項４】
　充電器本体に、保護皮レザーケースがあり、レザーケースの裏にベルトクリップがあり、ベルトにも止められ、携帯にとても便利であることを特徴とする請求項１記載の充電式補聴器。
【請求項５】
　充電器本体に、照明ライトがあり、その照明ライトは回転できる軸で繋がるスイッチと繋がり、蓋のカバーを開けることにより、照明ライトの開け閉めをコントロールし、適当な光線を提供することにより、充電器本体を補聴器本体収納ボックスにて簡単に充電することが可能であることを特徴とする請求項１記載の充電式補聴器。
【請求項６】
　充電器本体は、交流から直流に（ＡＤ／ＤＣ）変える変圧器により、家庭用電源にて充電電力が提供されることを特徴とする請求項１記載の充電式補聴器。
【考案の詳細な説明】
【技術分野】
【０００１】
　本考案は、充電式補聴器の設計で、現在に広く使われている補聴器の新型改良作品である。充電式を採用し、補聴器を使われる方たちの操作が簡単になると同時に電池代コストを節約し、補聴器の寿命をさらに延ばす。
【背景技術】
【０００２】
　耳に障害を持っている方に対し、補聴器は何よりも一番大切な発明でした。聴力を失う原因は、大まかに、中耳炎、長期間の騒音環境、遺伝関係、先天性障害、病気、聴覚の自然老化、思いがけない事故又は薬物関係などで障害を持つことになることがあります。幸い聴力を失った方は、補聴器を付ければ聴覚を元に戻すことができる。聴覚を失った程度と種類により、さまざまな機器で聴力を補っている。今日の補聴器は能力も向上し、自動的にごく小さな音響変化に対して反応し、更に聞き取り易いはっきりした音声の語音理解力を持っている。
【０００３】
　今までの補聴器の充電方法は、従来の補聴器に回転できる軸で繋がる電池入れがあり、電池がなくなり、電池交換をする場合には、使用者は非常に気をつけて小さな電池ブタを回して開け、新しい電池を交換しなければならない。しかし、補聴器を使われる方の半数以上が高齢者なので、常に電池を変える作業はとても不便です。伝統的な電池式の欠点は以下のとおりである。
【０００４】
　１．補聴器の部品が小さすぎて、視力の悪い方に対して、部品が見えにくくなる。小さい部品を扱うと、手が震えやすくなり、セットしにくい。
　２．補聴器が使用する電池のサイズは非常に小さく、＋と−の見分けがしにくい為、反対にセットしたり、電池ブタがひっかかったりして、操作の間違いを起こして正常に動作しなかったり、電池がしっかりセットできない為に補聴器の寿命を縮める原因になる。
【０００５】
　３．普通の補聴器が使う電池の面積はごく小さく、１日の使用時間を６時間と仮定して計算した場合、約５日で電池を使い切る。もし、使用時間が１日８時間であれば、約３．７５日で使い切ってしまう。その為、年間１００個の使用量であれば、１個の電池価格は日本円の３６０円であり、計算すると、補聴器の使用者は年間の電池料金だけでもおよそ３６０００円になる。金銭面でも不経済である。
　４．前述したように、１人が年間１００個の電池を使用して廃棄すると、環境汚染になり、その莫大な廃電池が環境保護の中で１つの環境問題を起こす原因にもなる。
【０００６】
　５．伝統的な補聴器を使用中に電池が無くなった場合は、明るい所にもって行って、電池交換作業をしなければならない。もし、ちょうど映画を見ている時、野外にいる時又は夜間の電車又は飛行機の乗り降りの時は、みんな充分な明かりの下で作業を行なうことが出来ない。不便さが沢山でてきます。その為、耳の不自由な方に、非常に不便を感じさせ、非常に理想的ではない。
　以上は従来型の補聴器の欠点です。本製品はその欠点を補う為に、いつでもどこでも手軽にお使いいただける様に、発明したものである。
【考案の開示】
【考案が解決しようとする課題】
【０００７】
　本発明の主な目的は、充電式補聴器を提供する為である。充電式で電力を補充する。本体と充電台とのセットは非常に簡単で、高齢者も簡単に操作することができる。その為、いつでも、どこでも、誰にでも簡単に充電することができる。
【０００８】
　本発明の主な目的は、面倒な電池の交換の手間を省き、電池のセットや操作ミスで電池ブタを壊すことを防ぐことができる。
　本発明のもう１つの機能は、携帯しやすく、充電台の上に照明を装備しており、セットする時に光を照らし、とても見えやすく、室外の暗い場所でも簡単に充電することができる。
【課題を解決するための手段】
【０００９】
　以上の目的を果たす為に、本発明は、充電台１つ及び補聴器本体１つを含む。充電台は携帯し易く、充電器の中に電池を入れてセットする。充電の方法は乾電池により電源を供給する。セットしたあとにフタを正しく閉めれば、自動的に充電スイッチを切り替える。その微量電圧で速く充電することができる。
【考案を実施するための最良の形態】
【００１０】
　本発明の特徴と設計を更に深めて理解して頂く為に、具体的な実施例をあげて説明する。
　図１〜図４を参考にしてください。本発明の一実施例による充電式補聴器によると、充電器の中に充電器本体１０及び補聴器本体３０を含む。充電器本体１０は携帯しやすい収納ボックスになっており、ボックスの中に補聴器本体収納ボックス１１と電池ボックス１６があり、その中で補聴器を充電する場所の補聴器本体収納ボックス１１は充電器本体１０の前になっており、その形は補聴器本体３０にそって設計したものである。本体収納ボックス１１の両端はそれぞれ弾力のある端子１２を設置しており、本体収納ボックス１１は回転できる軸２１で手前に開くカバー１３を作り、充電器本体１０の後ろに指示ライト１９及び照明ライト２０を設計しており、照明ライト２０のスイッチは回転できる軸と結合し、カバー１３にコントロールされて、充電器本体１０の後に清掃ブラシ収納場所１４及び電池ボックス１６があり、ブラシ入れ１４に清掃ブラシ１５があり、電池ボックス１６に電池入れ蓋１７がある。以上は乾電池１８を入れる場所である。
【００１１】
　補聴器本体３０は人体の耳の設計により設計したものである。先端に出音穴を設計し、両側に接触点があり、中の回路は１つのマイク３０１、複数抵抗、１つの可変抵抗３０２、複数電解コンデンサ、複数電晶体及び１つのラッパ３０４で作られている。
【００１２】
　図５のように、本設計には充電器本体１０のレザーケース２５があり、充電器本体１０を保護するほか、レザーケース２５の裏にベルトクリップ２６があり、ベルトにも止められ、携帯にとても便利である。
【００１３】
　図６の通り、マイク３０１で集められた音は上記抵抗、電解コンデンサ及び電晶体で作られた拡大電路を経て、その声の音量を拡大してから、スピーカーから声を出すような形であり、可変抵抗３０２はマイク３０１の音量を調整し、複数電解コンデンサの中の電解コンデンサ３０３はエネルギーを提供する役割です。実にそれは二つの接触点と繋ぎ、補聴器本体３０のエネルギーがなくなる際、充電器本体１０のカバー１３を開いたら、照明ライト２０が光ることにより、適当な光を提供します。これにより、補聴器本体３０を本体収納ボックス１１に簡単に収納できます。電解コンデンサ３０３は乾電池１８が提供する電力により充電し、且つ補聴器本体３０が充電される際、充電器本体１０の指示ライト１９は使用者が使いやすいようにライトが点灯する。
【００１４】
　図７の通り、充電器本体１０の内部電路は２つの抵抗、１つの電晶体、１つの発光二極台（指示ライト１９）、１つの照明ライト２０、２つの接触端子１２及びいくつかの乾電池１８で作られ、そのうち、照明ライト２０は回転できる軸２１で繋がるスイッチ電源にて連接し〈内部に設置してあるので、外見では見えない〉、カバー１３にコントロールされます。
【００１５】
　上記述べた実施例で、充電器本体１０に提供する電源は、充電器本体に電池室１６があり、乾電池１８が提供した電力にて充電する。もう一つのよりよい実施例の中で（既知手段であり、ここでは改めて図式にて説明しない）、本設計は同時に一つの交流から直流に（ＡＤ／ＤＣ）変える変圧器を設置することが可能であり、充電器本体１０に差し入れがあり、変圧器で転換した電源に繋がることで、使用者が家にて使用することが出来る。家庭用交流ＡＣ電源にて充電し、補聴器本体３０が十分に電源を充電してから、携帯用に使用することができる。
【００１６】
　上記述べたのは、本設計のよい実施例で、本設計の実施する範囲を限定することは出来ない。この専門分野のプロが明らかにできる変化及び修飾するような仕事は、本設計の実質の内容に矛盾しない。
【００１７】
　総じて言えば、本充電式補聴器は、補聴器使用者が簡単に操作することが出来ると同時に、大量に関連費用を節約することが出来、更に補聴器の寿命を伸ばすことができる。
【図面の簡単な説明】
【００１８】
【図１】本考案の一実施例による充電式補聴器の部分分解斜視図である。
【図２】本考案の一実施例による充電式補聴器を充電器にセットした時の斜視図である。
【図３】本考案の一実施例による充電式補聴器の充電器の斜視図である。
【図４】本考案の一実施例による充電式補聴器の充電器の後部の分解斜視図である。
【図５】本考案の一実施例による充電式補聴器の充電器と携帯式皮ケースの斜視図である。
【図６】本考案の一実施例による充電式補聴器の充電回路図である。
【図７】本考案の一実施例による充電式補聴器の補聴器本体の内部電路図である。
【符号の説明】
【００１９】
　１０　充電器本体、１１　補聴器本体収納ボックス、１２　接触端子、１３　カバー、１４　ブラシ入れ、１５　清掃用ブラシ、１６　電池ボックス、１７　電池蓋、１８　乾電池、１９　指示ライト、２０　照明ライト、２１　回転できる軸、２５　レザーケース、２６　ベルトクリップ、３０　補聴器本体、３０１　マイク、３０２　可変抵抗、３０３　電解コンデンサ、３０４　スピーカー
【図１】
0003100396.tif 000003
【図２】
0003100396.tif 000004
【図３】
0003100396.tif 000005
【図４】
0003100396.tif 000006
【図５】
0003100396.tif 000007
【図６】
0003100396.tif 000008
【図７】
0003100396.tif 000009